(57)【特許請求の範囲】
【請求項１】
ワイヤレス通信アクセスサービスを提供する通信ネットワークの自己組織化ネットワーク部分の第１のノードにおいて動作するデバイスにより、
少なくとも信号ベースの位置推定において使用する１つまたは複数の測位信号を移動局に送信するために利用可能な前記通信ネットワークの１つまたは複数の基地局に関連する受信測位情報と、
前記第１のノードおよび／または前記自己組織化ネットワーク部分の少なくとも１つの他のノードが前記１つまたは複数の測位信号のうちの少なくとも１つを前記移動局に送信するために利用可能であるか否かについての判断と
に少なくとも部分的に基づいて、被選択測位支援データを確立することと、
通信リンクを通じて前記移動局に対し、前記被選択測位支援データの少なくとも一部分を表す１つまたは複数の信号を送信することと
を備える方法。
【請求項２】
前記第１のノードが前記１つまたは複数の測位信号のうちの前記少なくとも１つを送信するために利用可能であるとの前記判断は、
前記第１のノードと前記１つまたは複数の基地局のうちの少なくとも１つとの間の推定同期誤差、
前記第１のノードの推定位置に関連する推定位置誤差、および／あるいは
前記第１のノードに関連する電力クラス
のうちの少なくとも１つに少なくとも部分的に基づく、請求項１に記載の方法。
【請求項３】
前記自己組織化ネットワーク部分の前記少なくとも１つの他のノードが前記１つまたは複数の測位信号のうちの前記少なくとも１つを送信するために利用可能であるとの前記判断は、
前記少なくとも１つの他のノードと前記１つまたは複数の基地局のうちの少なくとも１つとの間の推定同期誤差、
前記少なくとも１つの他のノードの推定位置に関連する推定位置誤差、および／あるいは
前記少なくとも１つの他のノードに関連する電力クラス
のうちの少なくとも１つに少なくとも部分的に基づく、請求項１に記載の方法。
【請求項４】
前記送信することは、前記第１のノードが前記移動局へのサービング通信ノードとして機能している間に、前記移動局から受信した測位支援データを求める要求に応答して実行される、請求項１に記載の方法。
【請求項５】
前記受信測位情報の少なくとも一部分は、非ワイヤレス通信リンクを通じて受信される、請求項１に記載の方法。
【請求項６】
前記送信される被選択測位支援データは、前記１つまたは複数の基地局を識別する情報を備える、請求項１に記載の方法。
【請求項７】
前記送信される被選択測位支援データは、非サービングノードから送信される追加測位支援データが前記移動局にとって利用可能である、前記１つまたは複数の基地局のうちの特定の１つを識別する情報を備える、請求項１に記載の方法。
【請求項８】
前記受信測位情報は、
前記自己組織化ネットワーク部分のノードを備える前記１つまたは複数の基地局のうちの少なくとも１つに関連し、推定位置、推定位置誤差、および／または電力クラスのうちの少なくとも１つを識別する情報
を備える、請求項１に記載の方法。
【請求項９】
ワイヤレス通信アクセスサービスを提供する通信ネットワークの自己組織化ネットワーク部分の第１のノードにおいて使用する装置であって、
少なくとも１つのワイヤレス送信機を備える少なくとも１つのネットワークインターフェースと、
少なくとも１つの処理ユニットと
を備え、前記少なくとも１つの処理ユニットは、
前記少なくとも１つのネットワークインターフェースを介して受信され、少なくとも信号ベースの位置推定において使用する１つまたは複数の測位信号を移動局に送信するために利用可能な前記通信ネットワークの１つまたは複数の基地局に関連する測位情報と、前記第１のノードおよび／または前記自己組織化ネットワーク部分の少なくとも１つの他のノードが前記１つまたは複数の測位信号のうちの少なくとも１つを前記移動局に送信するために利用可能であるか否かについての判断とに少なくとも部分的に基づいて、被選択測位支援データを確立し、
通信リンクを通じて前記少なくとも１つのワイヤレス送信機を介して前記移動局に前記被選択測位支援データの少なくとも一部分を送信することを開始する、装置。
【請求項１０】
前記少なくとも１つの処理ユニットは、前記第１のノードが前記１つまたは複数の測位信号のうちの前記少なくとも１つを送信するために利用可能であるか否かを、
前記第１のノードと前記１つまたは複数の基地局のうちの少なくとも１つとの間の推定同期誤差、
前記第１のノードの推定位置に関連する推定位置誤差、および／あるいは
前記第１のノードに関連する電力クラス
のうちの少なくとも１つに少なくとも部分的に基づいて判断する、請求項９に記載の装置。
【請求項１１】
前記少なくとも１つの処理ユニットは、前記自己組織化ネットワーク部分の前記少なくとも１つの他のノードが前記１つまたは複数の測位信号のうちの前記少なくとも１つを送信するために利用可能であるか否かを、
前記少なくとも１つの他のノードと前記１つまたは複数の基地局のうちの少なくとも１つとの間の推定同期誤差、
前記少なくとも１つの他のノードの推定位置に関連する推定位置誤差、および／あるいは
前記少なくとも１つの他のノードに関連する電力クラス
のうちの少なくとも１つに少なくとも部分的に基づいて判断する、請求項９に記載の装置。
【請求項１２】
前記少なくとも１つの処理ユニットは、前記第１のノードが前記移動局へのサービング通信ノードとして機能している間に、前記移動局から前記少なくとも１つのネットワークインターフェースを介して受信した測位支援データを求める要求に応答して、前記被選択測位支援データの前記少なくとも一部分を送信することを開始する、請求項９に記載の装置。
【請求項１３】
前記少なくとも１つのネットワークインターフェースは、非ワイヤレス通信インターフェースをさらに備え、前記受信測位情報の少なくとも一部分は、非ワイヤレス通信リンクを通じて前記非ワイヤレス通信インターフェースを介して受信される、請求項９に記載の装置。
【請求項１４】
前記送信される被選択測位支援データは、前記１つまたは複数の基地局を識別する情報を備える、請求項９に記載の装置。
【請求項１５】
前記送信される被選択測位支援データは、非サービングノードから送信される追加測位支援データが前記移動局にとって利用可能である、前記１つまたは複数の基地局のうちの特定の１つを識別する情報を備える、請求項９に記載の装置。
【請求項１６】
前記受信測位情報は、
前記自己組織化ネットワーク部分のノードを備える前記１つまたは複数の基地局のうちの少なくとも１つに関連し、推定位置、推定位置誤差、および／または電力クラスのうちの少なくとも１つを識別する情報
を備える、請求項９に記載の装置。
【請求項１７】
ワイヤレス通信アクセスサービスを提供する通信ネットワークの自己組織化ネットワーク部分の第１のノードにおいて動作するデバイスにおいて使用する装置であって、
少なくとも信号ベースの位置推定において使用する１つまたは複数の測位信号を移動局に送信するために利用可能な前記通信ネットワークの１つまたは複数の基地局に関連する受信測位情報と、
前記第１のノードおよび／または前記自己組織化ネットワーク部分の少なくとも１つの他のノードが前記１つまたは複数の測位信号のうちの少なくとも１つを前記移動局に送信するために利用可能であるか否かについての判断と
に少なくとも部分的に基づいて、被選択測位支援データを確立するための手段と、
通信リンクを通じて前記移動局に対し、前記被選択測位支援データの少なくとも一部分を送信するための手段と
を備える装置。
【請求項１８】
前記第１のノードが前記１つまたは複数の測位信号のうちの前記少なくとも１つを送信するために利用可能であることを、
前記第１のノードと前記１つまたは複数の基地局のうちの少なくとも１つとの間の推定同期誤差、
前記第１のノードの推定位置に関連する推定位置誤差、および／あるいは
前記第１のノードに関連する電力クラス
のうちの少なくとも１つに少なくとも部分的に基づいて判断するための手段
をさらに備える、請求項１７に記載の装置。
【請求項１９】
前記自己組織化ネットワーク部分の前記少なくとも１つの他のノードが前記１つまたは複数の測位信号のうちの前記少なくとも１つを送信するために利用可能であることを、
前記少なくとも１つの他のノードと前記１つまたは複数の基地局のうちの少なくとも１つとの間の推定同期誤差、
前記少なくとも１つの他のノードの推定位置に関連する推定位置誤差、および／あるいは
前記少なくとも１つの他のノードに関連する電力クラス
のうちの少なくとも１つに少なくとも部分的に基づいて判断するための手段
をさらに備える、請求項１７に記載の装置。
【請求項２０】
前記移動局へのサービング通信ノードとして前記第１のノードを動作させるための手段と、
前記移動局から測位支援データを求める要求を受信するための手段と
をさらに備える、請求項１７に記載の装置。
【請求項２１】
非ワイヤレス通信リンクを通じて前記受信測位情報の少なくとも一部分を受信するための手段
をさらに備える、請求項１７に記載の装置。
【請求項２２】
ワイヤレス通信アクセスサービスを提供する通信ネットワークの自己組織化ネットワーク部分の第１のノードにおいて動作するデバイスとともに使用する物品であって、
コンピュータ実行可能命令を記憶したコンピュータ可読媒体を備え、前記コンピュータ実行可能命令は、前記デバイスの１つまたは複数の処理ユニットによって、
少なくとも信号ベースの位置推定において使用する１つまたは複数の測位信号を移動局に送信するために利用可能な前記通信ネットワークの１つまたは複数の基地局に関連する受信測位情報と、
前記第１のノードおよび／または前記自己組織化ネットワーク部分の少なくとも１つの他のノードが前記１つまたは複数の測位信号のうちの少なくとも１つを前記移動局に送信するために利用可能であるか否かについての判断と
に少なくとも部分的に基づいて、被選択測位支援データを確立し、
通信リンクを通じて前記移動局に対し、前記被選択測位支援データの少なくとも一部分を送信することを開始する
ように実行可能である、物品。
【請求項２３】
前記コンピュータ実施可能命令は、前記１つまたは複数の処理ユニットによって、
前記第１のノードが前記１つまたは複数の測位信号のうちの前記少なくとも１つを送信するために利用可能であるか否かを、
前記第１のノードと前記１つまたは複数の基地局のうちの少なくとも１つとの間の推定同期誤差、
前記第１のノードの推定位置に関連する推定位置誤差、および／あるいは
前記第１のノードに関連する電力クラス
のうちの少なくとも１つに少なくとも部分的に基づいて判断する
ようにさらに実行可能である、請求項２２に記載の物品。
【請求項２４】
前記コンピュータ実施可能命令は、前記１つまたは複数の処理ユニットによって、
前記自己組織化ネットワーク部分の前記少なくとも１つの他のノードが前記１つまたは複数の測位信号のうちの前記少なくとも１つを送信するために利用可能であるか否かを、
前記少なくとも１つの他のノードと前記１つまたは複数の基地局のうちの少なくとも１つとの間の推定同期誤差、
前記少なくとも１つの他のノードの推定位置に関連する推定位置誤差、および／あるいは
前記少なくとも１つの他のノードに関連する電力クラス
のうちの少なくとも１つに少なくとも部分的に基づいて判断する
ようにさらに実行可能である、請求項２２に記載の物品。
【請求項２５】
前記コンピュータ実施可能命令は、前記１つまたは複数の処理ユニットによって、
前記第１のノードが前記移動局へのサービング通信ノードとして機能している間に、前記移動局から受信した測位支援データを求める要求に応答して、前記被選択測位支援データの少なくとも一部分を送信することを開始する
ようにさらに実行可能である、請求項２２に記載の物品。
【請求項２６】
前記受信測位情報の少なくとも一部分は、非ワイヤレス通信リンクを通じて受信される、請求項２２に記載の物品。
【請求項２７】
前記送信される被選択測位支援データは、前記１つまたは複数の基地局を識別する情報を備える、請求項２２に記載の物品。
【請求項２８】
前記送信される被選択測位支援データは、非サービングノードから送信される追加測位支援データが前記移動局にとって利用可能である、前記１つまたは複数の基地局のうちの特定の１つを識別する情報を備える、請求項２２に記載の物品。
【請求項２９】
前記受信測位情報は、
前記自己組織化ネットワーク部分のノードを備える前記１つまたは複数の基地局のうちの少なくとも１つに関連し、推定位置、推定位置誤差、および／または電力クラスのうちの少なくとも１つを識別する情報
を備える、請求項２２に記載の物品。
【発明の詳細な説明】
【技術分野】
【０００１】
[0001]  本明細書で開示する主題は、電子デバイスに関し、より詳細には、自己組織化ネットワーク（self-organizing network）の少なくとも１つのノードに関連する少なくとも１つのデバイスを介して移動局に対し被選択測位支援データ（selected positioning assistance data）を提供する際に使用する方法および装置に関係する。
【背景技術】
【０００２】
[0002]  とりわけ、既存のワイヤレス通信ネットワークおよびキャリアインフラストラクチャは、移動局の位置および／またはロケーションを推定するための観測到着時間差（ＯＴＤＯＡ：observed time difference of arrival）および／またはアドバンストフォワードリンク三辺測量（ＡＦＬＴ：advanced forward link trilateration）技法を使用可能にし得る。この場合に移動局は、近隣基地局送信機のロケーションおよび時間−基準データを把握した上で、そのような基地局送信機までの距離を、測定された信号伝搬遅延に基づいて決定することができる。移動局は通常、そのような基地局に関する情報、たとえば近隣基地局のロケーションおよび時間−基準データなどを、基地局ノード自体から移動局に提供される「支援データ（assistance data）」として受信する。そのような支援データは、たとえば、基地局間の相対的送信時間（relative transmit time）、最寄りの基地局のロケーション、サービング基地局のロケーションなどを含むことができ、これらは位置フィックス（position fix）を可能にするために使用され得る。そのような支援データは通常、サービング基地局から受信される。
【０００３】
[0003]  カバレージを拡大するために、ワイヤレス通信ネットワークおよびキャリアインフラストラクチャは、自己組織化ネットワーク（ＳＯＮ：self organizing network）の一部としてノードを組み込んできた。そのようなノードはフェムトセルを備えることがあり、通信ネットワーク内の既存の基地局によってカバレージが十分に提供されない場合に、カバレージの拡大および／または増強のために住宅所有者および小事業主によってフェムトセルが設けられ得る。しかしながら、フェムトセルは通常、ＯＴＤＯＡまたはＡＦＬＴの測位サービスを提供するプロセスに参加するようにプロビジョニングされていない。たとえば、ＳＯＮノードは通常、支援データをプロビジョニングされておらず、そのため、ＯＴＤＯＡまたはＡＦＬＴを実行するためにモバイルハンドセットに所望の支援データを提供することができない。
【発明の概要】
[0005]  いくつかの態様によれば、信号ベースの位置推定プロセスで使用され得る測位支援データを移動局が受信できるようにするための様々な方法および／または装置を使用して実施され得る技法が提供される。たとえば、通信ネットワークの自己組織化ネットワーク（ＳＯＮ）部分のノードにおけるデバイスが、被選択測位支援データを確立して移動局に提供することによってセルフプロビジョニングされ得る。
【０００４】
[0006]  例として、一方法は、ワイヤレス通信アクセスサービスを提供する通信ネットワークの自己組織化ネットワーク部分の第１のノードにおいて動作するデバイスで実施され得る。本方法は、少なくとも信号ベースの位置推定において使用する１つまたは複数の測位信号を移動局に送信するために利用可能であり得る通信ネットワークの１つまたは複数の基地局に関連する受信測位情報に少なくとも部分的に基づいて、デバイスが被選択測位支援データを確立することを可能にし得る。本方法は、第１のノードおよび／または自己組織化ネットワーク部分の少なくとも１つの他のノードが測位信号のうちの少なくとも１つを移動局に送信するために利用可能であり得るか否かについての決定に少なくとも部分的に基づいて、デバイスが被選択測位支援データを確立することを可能にし得る。本方法は、デバイスが通信リンクを通じて移動局に対し被選択測位支援データの少なくとも一部分を送信することをさらに可能にし得る。
【０００５】
[0007]  いくつかのさらなる例示的な実装形態では、第１のノードが測位信号のうちの少なくとも１つを送信するために利用可能であるとの決定は、第１のノードと基地局のうちの少なくとも１つとの間の推定同期誤差（estimated synchronization error）、第１のノードの推定位置に関連する推定位置誤差（estimated position error）、および／または第１のノードに関連する電力クラス（power class）に少なくとも部分的に基づき得る。
【０００６】
[0008]  いくつかのさらなる例示的な実装形態では、自己組織化ネットワーク部分の少なくとも１つの他のノードが測位信号のうちの少なくとも１つを送信するために利用可能であるとの決定は、他のノードと基地局のうちの少なくとも１つとの間の推定同期誤差、他のノードの推定位置に関連する推定位置誤差、および／または他のノードに関連する電力クラスに少なくとも部分的に基づき得る。
【０００７】
[0009]  いくつかのさらなる例示的な実装形態では、デバイスは、第１のノードが移動局へのサービング通信ノードとして機能している間に、移動局から受信した測位支援データを求める要求に応答し得る。
【０００８】
[0010]  いくつかのさらなる例示的な実装形態では、送信される被選択測位支援データは、１つまたは複数の基地局の複数を識別する情報を備える。他の実装形態では、送信される被選択測位支援データは、たとえば、追加測位支援データが移動局にとって利用可能である特定の基地局を識別する情報を備えることができる。いくつかの例示的な実装形態では、受信測位情報は、自己組織化ネットワーク部分のノードを備える基地局のうちの少なくとも１つに関連する情報を備えることができ、かつ、推定位置、推定位置誤差、および／または電力クラスのうちの少なくとも１つを識別することもできる。
【０００９】
[0011]  以下の図を参照しながら非限定的で非網羅的な態様について説明し、別段の規定がない限り、様々な図の全体を通して、同様の参照番号は同様の部分を指す。
【図面の簡単な説明】
【００１０】
【図１】[0012]  一実装形態による、被選択測位支援データを移動局に提供することが可能な、自己組織化ネットワークのノードにおけるデバイスを含む例示的な環境を示す概略ブロック図。
【図２】[0013]  一実装形態による、たとえば図１におけるような、被選択測位支援データを移動局に提供することが可能なデバイスのいくつかの特徴を示す概略ブロック図。
【図３】[0014]  一実装形態による、たとえば図１におけるような、被選択測位支援データが確立されて移動局に提供され得る場合の基地局のいくつかの特徴を示す概略ブロック図。
【図４】[0015]  一実装形態による、たとえば図１におけるような、被選択測位支援データを受信することが可能な移動局のいくつかの特徴を示す概略ブロック図。
【図５】[0016]  一実装形態による、たとえば図１におけるような、被選択測位支援データを移動局に提供することが可能なデバイスにおいて使用する例示的なプロセスのいくつかの特徴を示す流れ図。
【図６】[0017]  一実装形態による、たとえば図１におけるような、被選択測位支援データを受信することが可能な移動局において使用する例示的なプロセスのいくつかの特徴を示す流れ図。
【発明を実施するための形態】
【００１１】
[0018]  いくつかの態様によれば、信号ベースの位置推定で使用する一定の測位支援データを確立し、移動局に提供するための様々な方法および／または装置を使用して実施され得る技法が提供される。
【００１２】
[0019]  いくつかの例示的な実装形態では、通信ネットワークは、１つまたは複数の移動局に１つまたは複数のワイヤレス通信アクセスサービスを提供するように構成され得る。たとえば、通信ネットワークは、１つまたは複数の基地局（たとえば、セルラー基地局、ワイヤレスアクセスポイントなど）を介して移動局にボイスおよび／またはデータ通信サービスを提供することができる。場合によっては、通信ネットワークは、基地局を増強および／またはサポートすることができる１つまたは複数の他のデバイスを備えること、および／または動作可能に利用することができる。たとえば、１つまたは複数の他のデバイスが、通信ネットワークの自己組織化ネットワーク（ＳＯＮ：self organizing network）部分において動作可能に提供され得る。この場合にたとえば、特定のコンピューティングデバイス、アクセスポイント、基地局などのようなデバイスは、ワイヤレス通信リンクを介して移動局と通信することによって、通信ネットワークのＳＯＮ部分の第１のノードの一部として動作し得る。
【００１３】
[0020]  非限定的な例として、そのようなデバイスは、移動局とセルラーネットワークおよび／または他の同様の通信ネットワークとの間の接続を提供する移動局のサービング通信ノードとして機能することができる「フェムトセル」、「ピコセル」、および／または他の同様の機器を備えることができる。他の例示的な実装形態では、そのようなデバイスは、移動局と１つまたは複数のワイヤレス通信ネットワークおよび／または非ワイヤレス通信ネットワークとの間の接続を提供することができるアクセスポイント、ロケーションビーコン、および／または他の同様の機器を備えることができる。
【００１４】
[0021]  特定の例では、本明細書でより詳細に説明するように、通信ネットワークのＳＯＮ部分のノードに関連するデバイスは、一定の測位支援データを確立して移動局に提供することによって、移動局による信号ベースの位置推定をサポートすることが可能であり得る。
【００１５】
[0022]  例として、移動局は、１つまたは複数の送信デバイスに対する位置、ならびに場合によっては基準マップおよび／または座標系に対するロケーションを推定するための観測到着時間差（ＯＴＤＯＡ）、アドバンストフォワードリンク三辺測量（ＡＦＬＴ）、および／または他の同様の技法の使用に少なくとも部分的に基づいて、信号ベースの位置推定を実行することができる。たとえば、移動局は、近隣基地局送信機の報告ロケーションおよび時間−基準データを把握した上で、そのような基地局送信機までの距離を、観測された信号伝搬遅延に基づいて測定することができる。移動局は、たとえば、そのような近隣基地局の報告ロケーションおよび時間−基準データを「支援データ（assistance data）」として基地局ノード自体から受信することができる。そのような支援データは、たとえば、位置フィックスを可能にする基地局間の相対的送信時間、最寄りの基地局のロケーション、サービング基地局のロケーションなどを含むことができる。そのような支援データは通常、サービング基地局から受信される。
【００１６】
[0023]  いくつかの状況では、移動局による信号ベースの位置推定を即座にサポートするようにプロビジョニングされることなく、ＳＯＮ部分にノードが追加され得る。たとえば、ＳＯＮノードは通常、移動局にとって有用であり得る適用可能な支援データを事前にプロビジョニングされない。
【００１７】
[0024]  本明細書の一態様によれば、通信ネットワークのＳＯＮ部分のノード（たとえば、「第１のノード」）は、少なくとも部分的に、一定の測位支援データを確立して移動局に提供することによって、移動局による信号ベースの位置推定をサポートすることが可能であるようにセルフプロビジョニングし得る。たとえば、第１のノードのデバイスは、「被選択測位支援データ（selected positioning assistance data）」を確立して移動局に提供することができる。被選択測位支援データは、第１のノードによって受信された測位情報に少なくとも部分的に基づき得る。この場合に被選択測位支援データは、（たとえば、三辺測量、および／または他の同様の既知の技法を使用する）信号ベースの位置推定で使用する１つまたは複数の測位信号を移動局に送信するために利用可能であり得る通信ネットワークの１つまたは複数の基地局に関連付けられ得る。たとえば、受信測位支援データは、近隣基地局および／または第１のノードが存在する領域内にある他の同様の基地局に関連付けられ得る。したがって、第１のノードにおけるデバイスは、複数の基地局から測位情報を取得し、その全部または一部分を使用して、移動局に提供され得る被選択測位支援データを確立することができる。いくつかの例示的な事例では、被選択測位支援データは、基地局によって移動局に提供され得る測位データの全部または一部を備えることができる。いくつかの例示的な事例では、被選択測位支援データは、基地局によって移動局に提供され得る測位データの全部または一部に少なくとも部分的に基づき得る。たとえば、被選択測位支援データは、基地局によって移動局に提供され得る測位データの少なくとも一部に基づく、フィルタ処理され、適合し、あるいは調整された情報を備え得る。
【００１８】
[0025]  加えて、被選択測位支援データは、第１のノードおよび／または少なくとも１つの他のＳＯＮノードが１つまたは複数の測位信号を移動局に送信するために利用可能であり得るか否かについての決定に少なくとも部分的に基づき得る。
【００１９】
[0026]  この場合に、たとえば、第１のノードのデバイスは、第１のノード（および／または他のＳＯＮノード）が移動局に測位信号を送信するために動作可能に利用可能であるか否かを、第１のノード（および／または他のＳＯＮノード）と基地局のうちの少なくとも１つとの間の推定同期誤差に少なくとも部分的に基づいて決定することができる。この場合にたとえば、推定同期誤差は、それぞれの（１つもしくは複数の）ノードおよび（１つもしくは複数の）基地局および／または通信ネットワークなどのタイミングおよび／またはクロックに少なくとも部分的に基づき得る。したがって、たとえば、推定同期誤差を時間しきい値などと比較して、移動局が第１のノードから受信した測位信号に少なくとも部分的に基づいて所望の信号ベースの位置推定を実行できるように、ＳＯＮノードのタイミングが基地局のタイミングと十分に同期されるか否かを決定することができる。したがって、推定同期誤差が、移動局に送信される被選択測位支援データにおいて第１のノード（および／または他のＳＯＮノード）を使用または包含することを保証するのに十分著しい状況があり得る。
【００２０】
[0027]  別の例では、第１のノードのデバイスは、第１のノード（および／または他のＳＯＮノード）が移動局に測位信号を送信するために動作可能に利用可能であるか否かを、第１のノード（および／または他のＳＯＮノード）の推定位置に関連する推定位置誤差に少なくとも部分的に基づいて決定することができる。たとえば、そのような推定位置誤差を間隔しきい値と比較して、移動局が第１のノードから受信した測位信号に少なくとも部分的に基づいて所望の信号ベースの位置推定プロセスを実行できるように、第１のノードの推定位置が十分に正確であるか否かを判断することができる。したがって、推定位置誤差が、移動局に送信される被選択測位支援データにおいて第１のノード（および／または他のＳＯＮノード）を使用または包含することを保証するのに十分著しい状況があり得る。
【００２１】
[0028]  さらに別の例では、第１のノードのデバイスは、第１のノード（および／または他のＳＯＮノード）が移動局に測位信号を送信するために動作可能に利用可能であるか否かを、第１のノード（および／または他のＳＯＮノード）に関連する電力クラスに少なくとも部分的に基づいて決定することができる。たとえば、そのような電力クラスを送信電力しきい値と比較して、移動局が第１のノードから受信した測位信号に少なくとも部分的に基づいて所望の信号ベースの位置推定を実行できるように、第１のノードの電力クラスが適切に電力供給される（たとえば、弱すぎない、または強すぎない）か否かを決定することができる。したがって、電力クラスが、移動局に送信される被選択測位支援データにおいて第１のノード（および／または他のＳＯＮノード）を使用または包含することを否定するのに十分異なる状況があり得る。
【００２２】
[0029]  ここで図１に注目すると、図１は領域１０２を備える例示的な環境１００を示す概略ブロック図であり、領域１０２内において、通信ネットワーク１１０のＳＯＮ部分１０８の第１のノード１０６−１の一部として、推定ロケーション（Ｌ１）にデバイス１０４が設けられている。推定ロケーションＬ２に移動局１２０が設けられている。いくつかの例示的な実装形態では、ＳＯＮ部分１０８は、ノード１０６−ｚによって表される複数のＳＯＮノードを備えることができる。ＳＯＮ部分１０８のＳＯＮノードは、たとえば、同じデバイスおよび／または技術を備えてよく、または互いに異なってもよい。デバイス１０４は、たとえば、専用コンピューティングデバイスを表し得る。いくつかの例示的な実装形態では、領域１０２は、１つのセルラーネットワーク内のセルの全部または一部を備えることができる。いくつかの他の例示的な実装形態では、領域１０２は、１つまたは複数のセルラーネットワーク内の２つ以上のセルを備えることができる。領域１０２は、たとえば、特定のＳＯＮノード、および／または複数のＳＯＮノードに関連付けられ得る。第１のノード１０６−１によって移動局１２０に送信される被選択測位支援データは、たとえば、移動局１２０にとって有用であり得る測位信号を動作可能に送信することが可能なデバイスに特別に関連付けられ得る。
【００２３】
[0030]  通信ネットワーク１１０は、たとえば、それぞれ報告ロケーション（たとえば、推定ロケーション、またはそれ以外のロケーション）Ｒｅｐ．Ｌ１〜Ｒｅｐ．Ｌｎを有するワイヤレス送信デバイス１１２−１〜１１２−ｎによって示される１つまたは複数の基地局１３０を備えることができる。ワイヤレス送信デバイス１１２−１〜１１２−ｎは、ワイヤレス通信リンク１１４−１〜１１４−ｎを通じて移動局１２０と通信することができる。いくつかの例示的な実装形態では、１つまたは複数のワイヤレス送信デバイス１１２は、たとえば１つまたは複数のネットワーク１４２を介して他のデバイス／リソース１５１に接続を提供するセルラー基地局および／または他の同様に構成された電気通信基地局、ワイヤレスネットワークアクセスポイントなどの形態をとり得る。いくつかの例示的な実装形態では、１つまたは複数のワイヤレス送信デバイス１１２は、移動局によって実行される所望の信号ベースの位置推定をサポートすることができるロケーションビーコン送信デバイスの形態をとり得る。したがって、本明細書で使用する「基地局」という基本用語は、移動局によって実行され得る一定の所望の信号ベースの位置推定を少なくともサポートする様々なデバイスを広く備えるように意図されている。
【００２４】
[0031]  移動局１２０は、ユーザが合理的にあちこちに動かすことができる任意の電子デバイスを表す。移動局は、たとえば、ユーザ機器またはモバイルデバイスと呼ばれることがある。限定ではなく例として、移動局は、携帯電話、スマートフォン、ラップトップコンピュータ、タブレットコンピュータ、ネットブック、スマートブック、装着型コンピュータ、携帯情報端末、ナビゲーションデバイスなどのようなコンピューティングデバイスおよび／または通信デバイスを含むことができる。
【００２５】
[0032]  移動局１２０は、たとえば、（たとえば、１つまたは複数のネットワークインターフェースを介して）ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）などの様々なワイヤレス通信ネットワークとともに使用することが可能であり得る。「ネットワーク」および「システム」という用語は、本明細書では互換的に使用されることがある。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワークなどとすることができる。ＣＤＭＡネットワークは、ほんのいくつかの無線技術を挙げれば、ｃｄｍａ２０００、広帯域ＣＤＭＡ（Ｗ−ＣＤＭＡ）、時分割同期符号分割多元接続（ＴＤ−ＳＣＤＭＡ）などの１つまたは複数の無線アクセス技術（ＲＡＴ）を実装し得る。この場合、ｃｄｍａ２０００は、ＩＳ−９５規格、ＩＳ−２０００規格、およびＩＳ−８５６規格に従って実装される技術を含み得る。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）、Ｄｉｇｉｔａｌ  Ａｄｖａｎｃｅｄ  Ｍｏｂｉｌｅ  Ｐｈｏｎｅ  Ｓｙｓｔｅｍ（Ｄ−ＡＭＰＳ）、または何らかの他のＲＡＴを実装することができる。ＧＳＭおよびＷ−ＣＤＭＡは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。３ＧＰＰおよび３ＧＰＰ２の文書は公に入手可能である。たとえば、ＷＬＡＮは、ＩＥＥＥ８０２．１１ｘネットワークを含み、ＷＰＡＮは、Ｂｌｕｅｔｏｏｔｈ（登録商標）ネットワーク、ＩＥＥＥ８０２．１５ｘを含み得る。ワイヤレス通信ネットワークは、たとえば、Ｌｏｎｇ  Ｔｅｒｍ  Ｅｖｏｌｕｔｉｏｎ（ＬＴＥ）、ＬＴＥ  Ａｄｖａｎｃｅｄ、ＷｉＭＡＸ、Ｕｌｔｒａ  Ｍｏｂｉｌｅ  Ｂｒｏａｄｂａｎｄ（ＵＭＢ）
など、いわゆる次世代技術（たとえば、「４Ｇ」）を含み得る。
【００２６】
[0033]  図示のように、ＳＯＮノード１０６および／またはワイヤレス送信デバイス１１２のうちの１つまたは複数は、ネットワーク１４２に動作可能に接続されてよく、ネットワーク１４２は、他のデバイス／リソース１５１（たとえば、サーバ、コンピューティングデバイス、移動局、電話、ネットワーク、テレフォニー、サービスなど）への通信を可能にする１つまたは複数の有線通信ネットワークおよび／またはワイヤレス通信ネットワークなどを表し得る。例として、ネットワーク１４２は、電気通信ネットワークおよび／またはデータネットワーク、イントラネット、インターネットなどを含むことができる。
【００２７】
[0034]  いくつかの例示的な実装形態では、設置されている間、および／または１つもしくは複数の他の時に（たとえば、更新中、タイマーに基づいて、など）、第１のノード１０６−１は、１つまたは複数の基地局および／または他のＳＯＮノード１０６に関連する測位情報を能動的および／または受動的に取得することができる。たとえば、第１のノード１０６−１は、１つまたは複数の基地局および／または他のＳＯＮノード１０６に関連する測位情報を、そのような情報を１つもしくは複数のワイヤレス送信デバイス１１２、他の通信ネットワークデバイス／リソースに特に要求すること、および／またはそのような情報を取得するために他のデバイス／リソース１５１にアクセスすることによって、能動的に取得することができる。
【００２８】
[0035]  したがって、たとえば、第１のノード１０６−１は、非ワイヤレス通信リンク１４０および／またはワイヤレス通信リンク１４４を通じて、基地局に関連する測位情報を表す１つまたは複数の信号を受信することができる。この場合にたとえば、メッセージ１４６が、ワイヤレス送信デバイス１１２−１によって非ワイヤレス通信リンク１４０を通じて（たとえば、ネットワーク１４２を介して）第１のノード１０６−１に送られ得る。代替的に、メッセージ１４６は、ワイヤレス送信デバイス１１２−１によってワイヤレス通信リンク１４４を通じて第１のノード１０６−１に送られ得る。
【００２９】
[0036]  第１のノード１０６−１は、たとえば、１つまたは複数の基地局および／または他のＳＯＮノード１０６に関連する測位情報を、そのように特に要求することなくそのような情報を受信することによって、受動的に取得することができる。たとえば、第１のノード１０６−１は、１つまたは複数の基地局および／または他のＳＯＮノード１０６に関連する測位情報を、１つまたは複数のワイヤレス送信デバイス１１２からブロードキャストされた測位情報がないか耳を澄ませ、そのような情報を受信することによって、取得することができる。
【００３０】
[0037]  図１にさらに示すように、たとえば、第１のノード１０６−１が移動局１２０のサービングノードとして機能している間に、移動局１２０はワイヤレス通信リンク１３２を通じて、第１のノード１０６−１に測位支援データを求める要求１５０（たとえば、１つまたは複数のメッセージ）を送信することができる。第１のノード１０６−１は、ワイヤレス通信リンク１３２を通じて、被選択測位支援データを備える応答１５２（たとえば、１つまたは複数のメッセージ）を送信することができる。
【００３１】
[0038]  いくつかの他の例示的な実装形態では、第１のノード１０６−１は、要求１５０に応答するのではなく、被選択測位支援データを送信あるいはブロードキャストすることを独自に決定することができる。
【００３２】
[0039]  いくつかの例示的な実装形態では、送信される被選択測位支援データは、信号ベースの位置推定をサポートするために利用可能であり得る複数の基地局および／またはＳＯＮノードを識別する情報を備えることができる。
【００３３】
[0040]  いくつかの例示的な実装形態では、送信される被選択測位支援データは、追加測位支援データが移動局１２０にとって利用可能であり得る特定の基地局を識別する情報を備えることができる。したがって、図１にさらに示すように、続いて移動局１２０は応答１５２に基づいて、ワイヤレス通信リンク１１４−ｎを通じて、基地局１３０にそのような追加測位支援データを求める要求１６０（たとえば、１つまたは複数のメッセージ）を送ることができる。基地局１３０は、たとえば、ワイヤレス通信リンク１１４−ｎを通じて、追加測位支援データを備える応答１６２（たとえば、１つまたは複数のメッセージ）を送信することができる。いくつかの例示的な実装形態では、送信される追加測位支援データは、信号ベースの位置推定をサポートするために利用可能であり得る複数の基地局および／またはＳＯＮノードを識別する情報を備えることができる。
【００３４】
[0041]  したがって、図１に示すように、移動局１２０は、サービングノード（たとえば、第１のノード１０６−１）からの被選択測位支援データと、場合によっては１つまたは複数の非サービングノード（たとえば、基地局１３０）からの追加測位支援データとを受信することができる。さらに、移動局１２０に送信される被選択測位支援データは、第１のノード１０６−１および／または他のＳＯＮノードによって送信される測位信号が、いくつかの状況では移動局１２０によって使用するのに利用可能であることを、選択的に識別することができる。たとえば、上記のように、いくつかのしきい値テストまたはチェックを、第１のノード１０６−１におけるデバイス１０４が実行して、ＳＯＮノードが、信号ベースの位置推定で使用する測位信号の送信機として移動局１２０にとって適切に役に立ち得るか否かを決定することができる。
【００３５】
[0042]  次に図２を参照すると、図２は、一実装形態による、被選択測位支援データ２１４−１を移動局１２０に提供することが可能な例示的なデバイス１０４のいくつかの特徴を示す概略ブロック図である。
【００３６】
[0043]  図示のように、デバイス１０４は、１つまたは複数の接続２０６を介してメモリ２０４に結合された、（たとえば、本明細書で提供する技法の全部または一部による）データ処理を実行するための１つまたは複数の処理ユニット２０２を備えた特定のコンピューティングデバイスの形態をとり得る。（１つまたは複数の）処理ユニット２０２は、ハードウェアまたはハードウェアとソフトウェアの組合せで実装され得る。（１つまたは複数の）処理ユニット２０２は、データコンピューティング手順またはプロセスの少なくとも一部分を実行するように構成可能な１つまたは複数の回路を表し得る。限定ではなく例として、処理ユニットは、１つまたは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。
【００３７】
[0044]  メモリ２０４は、任意のデータ記憶機構を表し得る。たとえば、メモリ２０４は、１次メモリ２０４−１および／または２次メモリ２０４−２を含み得る。たとえば、１次メモリ２０４−１は、ランダムアクセスメモリ、読取り専用メモリなどを備え得る。この例では処理ユニットとは別個なものとして示しているが、１次メモリの全部または一部を（１つもしくは複数の）処理ユニット２０２またはデバイス１０４内の他の同様の回路内に設ける、あるいは（１つもしくは複数の）処理ユニット２０２またはデバイス１０４内の他の同様の回路と共設／結合することができることを理解されたい。たとえば、２次メモリ２０４−２は、１次メモリおよび／または１つもしくは複数のデータ記憶デバイスもしくはシステム、たとえば、ディスクドライブ、光ディスクドライブ、テープドライブ、固体メモリドライブなどと同一または同様のタイプのメモリを備え得る。いくつかの実装形態では、２次メモリは、コンピュータ可読媒体２２０を動作可能に受容するか、または場合によってはそれに結合するように構成され得る。図示のように、メモリ２０４および／またはコンピュータ可読媒体２２０は、（たとえば、本明細書で提供する技法による）データ処理に関連するコンピュータ実行可能命令２２２を備え得る。
【００３８】
[0045]  さらに示すように、時には、メモリ２０４は、被選択測位支援データ２１４−１、１つもしくは複数の推定位置誤差２１４−２、１つもしくは複数の推定位置２１４−３、測位情報２１４−４、識別情報２１４−５、１つもしくは複数の同期誤差２１４−６、１つもしくは複数の電力クラス２１４−７、１つもしくは複数のしきい値２１４−８など、またはそれらの任意の組合せを表すデータを備えることがある。
【００３９】
[0046]  非限定的な例として、被選択測位支援データ２１４−１は、１つもしくは複数のワイヤレス送信デバイス１１２および／または１つもしくは複数のＳＯＮノード１０６（図１参照）に関連付けられ得る測位情報２１４−４の全部または一部を備えることができる。たとえば、被選択測位支援データ２１４−１は、移動局１２０に測位信号を送信するために動作可能に利用可能であると考えられる特定のワイヤレス送信デバイス１１２および／またはＳＯＮノード１０６を識別し得る識別情報２１４−５の全部または一部を備えることができる。たとえば、被選択測位支援データは、（たとえば、ＭＡＣアドレスなどによって）特定のワイヤレス送信デバイスを一意に識別し、（たとえば、座標などによって）特定のワイヤレス送信デバイスの推定および／もしくは報告ロケーションを識別し、特定のワイヤレス送信デバイスに関連するタイミング情報（たとえば、時間基準、タイミングオフセット、誤差など）を識別し、および／または移動局１２０にとって有用であり得る特定のワイヤレス送信デバイスに関連する他の情報（たとえば、タイプ、信号（signals）、ネットワーク、所属、ステータスなど）を識別することができる。
【００４０】
[0047]  非限定的な例として、推定位置２１４−３および／または推定位置誤差２１４−２は、１つもしくは複数のワイヤレス送信デバイス１１２および／または１つもしくは複数のＳＯＮノード１０６に関連付けられ得る。推定位置はたとえば、少なくとも部分的に、相対位置（たとえば、間隔など）および／またはロケーション（たとえば、座標など）を識別することができる。推定位置誤差はたとえば、少なくとも部分的に、ワイヤレス送信デバイスまたはＳＯＮノードの推定および／または報告位置および／またはロケーションに関連する潜在的誤差（たとえば、間隔、距離など）を識別することができる。
【００４１】
[0048]  非限定的な例として、同期誤差２１４−６は、１つもしくは複数のワイヤレス送信デバイス１１２および／または１つもしくは複数のＳＯＮノード１０６に動作可能に適用されるようなデバイス／システム時間／タイミング、および／あるいはそれらの間のデバイス／システム時間／タイミングの差に関連付けられ得る。
【００４２】
[0049]  非限定的な例として、電力クラス２１４−７は、たとえば、場合によっては何らかの方向性に関して、測位信号および／または他の同様のワイヤレス信号を送信する１つもしくは複数のワイヤレス送信デバイス１１２および／または１つもしくは複数のＳＯＮノード１０６の能力に関するタイプおよび／または他の定義する特性に関連付けられ得る。
【００４３】
[0050]  非限定的な例として、前述したいくつかのしきい値テストまたはチェックの際に、１つまたは複数のしきい値２１４−８が考慮され得る。いくつかの例示的な実装形態では、１つまたは複数のしきい値は、静的（statically）および／または動的（dynamically）に指定され得る。いくつかの例示的な実装形態では、１つまたは複数のしきい値は、１つもしくは複数の移動局１２０、１つもしくは複数のワイヤレス送信デバイス１１２および／または１つもしくは複数のＳＯＮノード１０６、および／あるいは１つもしくは複数の信号ベースの位置推定技法に関連付けられ得る。
【００４４】
[0051]  デバイス１０４は、たとえば、接続２０６のうちの１つまたは複数に結合され得るネットワークインターフェース２０８を備えることができる。ネットワークインターフェース２０８は、１つまたは複数のワイヤレスインターフェース２１０および／または非ワイヤレス（たとえば、有線ネットワーク）インターフェース２１２を表し得る。
【００４５】
[0052]  次に図３および図４を参照すると、図３および図４は、図２に示す概略ブロック図に類似しているが、いくつかの実装形態による、それぞれ基地局１３０および移動局１２０のいくつかの特徴を示す概略ブロック図である。
【００４６】
[0053]  簡潔のために、いくつかの例示的な実装形態では、図３の（１つまたは複数の）処理ユニット３０２および図４の（１つまたは複数の）処理ユニット４０２は、（１つまたは複数の）処理ユニット２０２に関して前述した形態と同様の例示的な形態をとることがあり、図３のメモリ３０４および図４のメモリ４０４は、メモリ２０４に関して前述した形態と同様の例示的な形態をとることがあり、図３の接続３０６および図４の接続４０６は、接続２０６に関して前述した形態と同様の例示的な形態をとることがあり、図３のネットワークインターフェース３０８は、ネットワークインターフェース２０８に関して前述した形態と同様の例示的な形態をとることがあり、図３のコンピュータ可読媒体３２０および図４のコンピュータ可読媒体４２０は、コンピュータ可読媒体２２０に関して前述した形態と同様の例示的な形態をとることがある。同様に、送信機４０８（またはトランシーバなど）は、ネットワークインターフェース２０８のワイヤレスインターフェース部分２１０と同様の例示的な形態をとることがある。したがって、前述のように、適用可能なワイヤレス通信機能が、ワイヤレスインターフェース部分２１０および／または３１０と送信機４０８との間に提供され得る。
【００４７】
[0054]  図３に示すように、メモリ３０４は、時には、（たとえば、第１のノード１０６−１に提供され、少なくとも基地局１３０に関連付けられ得る）測位情報２１４−４と、（たとえば、基地局１３０に関連する）識別情報２１４−５と、場合によっては（たとえば、移動局１２０に提供され、基地局１３０および／または１つもしくは複数の他の基地局および／もしくはＳＯＮノードに関連付けられ得る）追加測位支援データ３１４−１とを備えることがある。この場合に命令３２２は、基地局１３０が実行および／または場合によってはサポートし得る本明細書で提供する技法の全部または一部に関する特定の命令を備えることができる。
【００４８】
[0055]  図４に示すように、メモリ４０４は、時には、（たとえば、第１のノード１０６−１から受信し得る）被選択測位支援データ２１４−４と、（たとえば、基地局１３０から受信し、基地局１３０および／または１つもしくは複数の他の基地局および／もしくはＳＯＮノードに関連付けられ得る）追加測位支援データ３１４−１と、（たとえば、１つまたは複数の要求１５０および／または１６０に関連する（図１参照））要求情報４３０と、（たとえば、１つまたは複数の応答１５２および／または１６２に関連する（図１参照））応答情報４４０と、（たとえば、信号ベースの位置推定プロセスの結果としての）移動局１２０に関連する推定位置および／またはロケーション情報４５０とを記憶することがある。この場合に命令４２２は、移動局１２０が実行および／または場合によってはサポートし得る本明細書で提供する技法の全部または一部に関する特定の命令を備えることができる。
【００４９】
[0056]  次に図５に注目すると、図５は、一実装形態による、被選択測位支援データ２１４−４を確立して移動局１２０に提供することが可能な、第１のノード１０６−１（図１参照）のデバイス１０４において使用する例示的なプロセス５００のいくつかの特徴を示す流れ図である。
【００５０】
[0057]  ブロック５０２において、被選択測位支援データが確立され得る。被選択測位支援データは、たとえばブロック５０４において、少なくとも信号ベースの位置推定で使用する１つまたは複数の測位信号を移動局に送信するために利用可能な通信ネットワークの１つまたは複数の基地局に関連する受信測位情報に少なくとも部分的に基づいて確立され得る。被選択測位支援データは、たとえばブロック５０６において、第１のノードおよび／またはＳＯＮ部分の少なくとも１つの他のノードが測位信号を移動局に送信するために利用可能であるか否かについての決定に少なくとも部分的に基づいて確立され得る。
【００５１】
[0058]  いくつかの例示的な実装形態では随意であり得るブロック５０８において、第１のノードは、移動局のサービング通信ノードとして機能し得る。いくつかの例示的な実装形態では同じく随意であり得るブロック５１０において、第１のノードは、移動局から測位支援データを求める要求を受信し得る。
【００５２】
[0059]  ブロック５１２において、第１のノードは、通信リンクを通じて移動局に対し被選択測位支援データの少なくとも一部分を送信することができる。たとえば、第１のノードは、たとえばブロック５１０において受信した要求に応答して、移動局に対し被選択測位支援データの少なくとも一部分を送信することができる。いくつかの例示的な実装形態では、第１のノードは、要求とは無関係の理由により、移動局に対し被選択測位支援データの少なくとも一部分を送信することができる。
【００５３】
[0060]  次に図６に注目すると、図６は、いくつかの例示的な実装形態による、第１のノード１０６−１からの被選択測位支援データと、場合によっては基地局１３０からの追加測位支援データとを要求および／または受信することが可能な、移動局１２０（図１参照）において使用する例示的なプロセス６００のいくつかの特徴を示す流れ図である。
【００５４】
[0061]  ブロック６０２において、移動局１２０は、サービング通信ノードとしての通信ネットワークのＳＯＮ部分の第１のノード１０６−１に接続することができる。ブロック６０４において、移動局１２０は、第１のノード１０６−１に対し測位支援データを求める要求を（随意に）送信することができる。ブロック６０６において、移動局１２０は、第１のノード１０６−１から、被選択測位支援データを備える（たとえば、ブロック６０４における要求に対する、および／または他の理由により送信される）応答を受信することができる。
【００５５】
[0062]  いくつかの例示的な実装形態では随意であり得るブロック６０８において、移動局１２０は、基地局１３０に対し追加測位支援データを求める要求を送信し得る。いくつかの例示的な実装形態では随意であり得るブロック６１０において、移動局１２０は、追加測位支援データを備える応答を基地局１３０から受信し得る。
【００５６】
[0063]  ブロック６１２において、移動局１２０は、それ自体の位置／ロケーションを推定するために信号ベースの位置推定を実行することができる。信号ベースの位置推定は、（たとえば、ブロック６０６において受信した）被選択測位支援データに少なくとも部分的に基づき得る。信号ベースの位置推定は（随意に）、（たとえば、ブロック６１０において受信した）追加測位支援データに少なくとも部分的に基づき得る。信号ベースの位置推定は、１つまたは複数の基地局から、かつ（随意に）１つまたは複数のＳＯＮノードから受信した１つまたは複数の送信された測位信号に少なくとも部分的に基づき得る。
【００５７】
[0064]  本明細書全体にわたる「一例」、「例」、「いくつかの例」、または「例示的な実装形態」という言及は、特徴および／または例に関して説明する特定の特徴、構造、または特性が、特許請求する主題の少なくとも１つの特徴および／または例の中に含まれ得ることを意味する。したがって、本明細書全体にわたる様々な場所における「一例では」、「例」、「いくつかの例では」もしくは「いくつかの実装形態では」という句、または他の同様の句の出現は、必ずしもすべてが同じ特徴、例、および／または限定を指すとは限らない。さらに、それらの特定の特徴、構造、または特性を組み合わせて１つまたは複数の例および／または特徴にすることができる。
【００５８】
[0065]  本明細書で使用する「および」、「または」、および「および／または」という用語は、そのような用語が使用される文脈に少なくとも部分的に依存することも予想される様々な意味を含み得る。一般に、「または」がＡ、ＢまたはＣなどのリストを関連付けるために使用された場合、包含的な意味で使用された場合はＡ、Ｂ、およびＣを意味し、排他的な意味で使用された場合はＡ、ＢまたはＣを意味するものとする。さらに、本明細書で使用する「１つまたは複数」という用語は、単数形の任意の特徴、構造、もしくは特性などについて説明するために使用され得るか、または複数の特徴、構造、もしくは特性、または特徴、構造、もしくは特性の何らかの他の組合せについて説明するために使用され得る。これは例示にすぎないこと、および特許請求する主題がこの例に限定されないことに留意されたい。
【００５９】
[0066]  本明細書で説明した方法は、特定の特徴および／または例に従って適用例に応じて様々な手段によって実施され得る。たとえば、そのような方法は、ソフトウェアとともにハードウェア、ファームウェア、および／またはそれらの組合せで実施され得る。ハードウェア実装の場合、たとえば、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明する機能を実行するように設計された他のデバイスユニット、および／またはそれらの組合せの中で実装され得る。
【００６０】
[0067]  上記の詳細な説明では、特許請求する主題の完全な理解を与えるために多数の具体的な詳細を記載した。ただし、特許請求する主題は、これらの具体的な詳細なしに実施できることが当業者には理解されよう。他の事例では、特許請求する主題を不明瞭にしないように、当業者には既知であろう方法および装置については詳細に説明していない。
【００６１】
[0068]  上記の詳細な説明のいくつかの部分は、特定の装置または専用コンピューティングデバイスまたはプラットフォームのメモリ内に記憶された２値デジタル電子信号の演算のアルゴリズムまたは記号表現に関して提示した。この特定の明細書の文脈では、特定の装置などの用語は、プログラムソフトウェアからの命令に従って特定の関数を実行するようにプログラムされた後の汎用コンピュータを含む。アルゴリズムの説明または記号表現は、信号処理または関連技術において当業者が、彼らの仕事の本質を他の当業者に伝達するために使用する技法の例である。アルゴリズムは、本明細書では、また一般に、所望の結果をもたらす自己無撞着な一連の演算または同様の信号処理であると考えられる。この文脈では、演算または処理は物理量の物理操作に関係する。必ずしもそうとは限らないが、一般に、電子信号は情報を表すので、そのような量は、格納、転送、組合せ、比較、または他の操作が可能な、電気信号または磁気信号の形態をとり得る。主に一般的な用法という理由で、そのような信号をビット、データ、値、要素、記号、文字、項、数、数字、情報などと呼ぶことは時々便利であることがわかっている。ただし、これらおよび同様の用語はすべて、適切な物理量に関連すべきものであり、便利なラベルにすぎないことを理解されたい。別段に明記されていない限り、以下の説明から明らかなように、本明細書全体にわたって、「処理する」、「算出する」、「計算する」、「決定する」、「確立する」、「取得する」、「識別する」、「選択する」などの用語を利用する説明は、専用コンピュータまたは同様の専用電子コンピューティングデバイスなど、特定の装置の動作またはプロセスを指すことを諒解されたい。したがって、本明細書の文脈で、専用コンピュータまたは同様の専用電子コンピューティングデバイスは、専用コンピュータまたは同様の専用電子コンピューティングデバイスのメモリ、レジスタ、または他の情報記憶デバイス、送信デバイス、あるいはディスプレイデバイス内の電子的または磁気的な物理量として一般に表される信号を、操作または変換することが可能である。この特定の特許出願の文脈では、「特定の装置」という用語は、プログラムソフトウェアからの命令に従って特定の関数を実行するようにプログラムされた汎用コンピュータを含み得る。
【００６２】
[0069]  いくつかの状況では、バイナリ１からバイナリ０への、またはその逆の状態の変動のようなメモリデバイスの演算は、たとえば、物理的変換のような変換を備え得る。特定のタイプのメモリデバイスでは、そのような物理的変換は、異なる状態または物への物品の物理的変換を備え得る。たとえば、限定はしないが、いくつかのタイプのメモリデバイスの場合、状態の変動は、電荷の蓄積および格納または格納された電荷の解放を伴い得る。同様に、他のメモリデバイスでは、状態の変動は、磁気方位の物理的変動もしくは変換または分子構造の物理的変動もしくは変換、たとえば結晶状からアモルファスへの、もしくはその逆の変動もしくは変換を備え得る。さらに他のメモリデバイスでは、物理状態の変動は、たとえば量子ビット（キュビット：qubit）を伴い得る重ね合わせ、絡み合いなどのような量子力学的現象を伴い得る。上記は、メモリデバイスにおけるバイナリ１からバイナリ０への、またはその逆の状態の変動が物理的変換などの変換を備え得るすべての例を網羅的に列挙することを意図していない。むしろ、上記は例示のためのものである。
【００６３】
[0070]  コンピュータ可読（記憶）媒体は通常、非一時的であることがあり、または非一時的デバイスを備えることがある。この文脈では、非一時的記憶媒体は、有形であるデバイスを含むことができ、これは、デバイスがその物理的状態を変え得るが、具体的な物理的形態を有することを意味する。したがって、たとえば、非一時的とは、このような状態の変動にもかかわらず有形であり続けるデバイスを指す。
【００６４】
[0071]  現在例示的な特徴と考えられていることを例示し説明したが、特許請求する主題から逸脱することなく、他の様々な変形を行うことができ、均等物を代用することができることが、当業者には理解されよう。さらに、本明細書に記載の中心概念から逸脱することなく、特許請求する主題の教示に特定の状況を適合させるために多くの変更を行うことができ得る。
【００６５】
[0072]  したがって、特許請求する主題は、開示された特定の例に限定されず、そのような特許請求する主題は、添付の特許請求の範囲の中に入るすべての態様、およびその均等物をも含むものとする。
以下に、本願出願の当初の特許請求の範囲に記載された発明を付記する。
［Ｃ１］  ワイヤレス通信アクセスサービスを提供する通信ネットワークの自己組織化ネットワーク部分の第１のノードにおいて動作するデバイスにより、
少なくとも信号ベースの位置推定において使用する１つまたは複数の測位信号を移動局に送信するために利用可能な前記通信ネットワークの１つまたは複数の基地局に関連する受信測位情報と、
前記第１のノードおよび／または前記自己組織化ネットワーク部分の少なくとも１つの他のノードが前記１つまたは複数の測位信号のうちの少なくとも１つを前記移動局に送信するために利用可能であるか否かについての判断と
に少なくとも部分的に基づいて、被選択測位支援データを確立することと、
通信リンクを通じて前記移動局に対し、前記被選択測位支援データの少なくとも一部分を表す１つまたは複数の信号を送信することと
を備える方法。
［Ｃ２］  前記第１のノードが前記１つまたは複数の測位信号のうちの前記少なくとも１つを送信するために利用可能であるとの前記判断は、
前記第１のノードと前記１つまたは複数の基地局のうちの少なくとも１つとの間の推定同期誤差、
前記第１のノードの推定位置に関連する推定位置誤差、および／あるいは
前記第１のノードに関連する電力クラス
のうちの少なくとも１つに少なくとも部分的に基づく、Ｃ１に記載の方法。
［Ｃ３］  前記自己組織化ネットワーク部分の前記少なくとも１つの他のノードが前記１つまたは複数の測位信号のうちの前記少なくとも１つを送信するために利用可能であるとの前記判断は、
前記少なくとも１つの他のノードと前記１つまたは複数の基地局のうちの少なくとも１つとの間の推定同期誤差、
前記少なくとも１つの他のノードの推定位置に関連する推定位置誤差、および／あるいは
前記少なくとも１つの他のノードに関連する電力クラス
のうちの少なくとも１つに少なくとも部分的に基づく、Ｃ１に記載の方法。
［Ｃ４］  前記送信することは、前記第１のノードが前記移動局へのサービング通信ノードとして機能している間に、前記移動局から受信した測位支援データを求める要求に応答して実行される、Ｃ１に記載の方法。
［Ｃ５］  前記受信測位情報の少なくとも一部分は、非ワイヤレス通信リンクを通じて受信される、Ｃ１に記載の方法。
［Ｃ６］  前記送信される被選択測位支援データは、前記１つまたは複数の基地局を識別する情報を備える、Ｃ１に記載の方法。
［Ｃ７］  前記送信される被選択測位支援データは、追加測位支援データが前記移動局にとって利用可能である、前記１つまたは複数の基地局のうちの特定の１つを識別する情報を備える、Ｃ１に記載の方法。
［Ｃ８］  前記受信測位情報は、
前記自己組織化ネットワーク部分のノードを備える前記１つまたは複数の基地局のうちの少なくとも１つに関連し、推定位置、推定位置誤差、および／または電力クラスのうちの少なくとも１つを識別する情報
を備える、Ｃ１に記載の方法。
［Ｃ９］  ワイヤレス通信アクセスサービスを提供する通信ネットワークの自己組織化ネットワーク部分の第１のノードにおいて使用する装置であって、
少なくとも１つのワイヤレス送信機を備える少なくとも１つのネットワークインターフェースと、
少なくとも１つの処理ユニットと
を備え、前記少なくとも１つの処理ユニットは、
前記少なくとも１つのネットワークインターフェースを介して受信され、少なくとも信号ベースの位置推定において使用する１つまたは複数の測位信号を移動局に送信するために利用可能な前記通信ネットワークの１つまたは複数の基地局に関連する測位情報と、前記第１のノードおよび／または前記自己組織化ネットワーク部分の少なくとも１つの他のノードが前記１つまたは複数の測位信号のうちの少なくとも１つを前記移動局に送信するために利用可能であるか否かについての判断とに少なくとも部分的に基づいて、被選択測位支援データを確立し、
通信リンクを通じて前記少なくとも１つのワイヤレス送信機を介して前記移動局に前記被選択測位支援データの少なくとも一部分を送信することを開始する、装置。
［Ｃ１０］  前記少なくとも１つの処理ユニットは、前記第１のノードが前記１つまたは複数の測位信号のうちの前記少なくとも１つを送信するために利用可能であるか否かを、
前記第１のノードと前記１つまたは複数の基地局のうちの少なくとも１つとの間の推定同期誤差、
前記第１のノードの推定位置に関連する推定位置誤差、および／あるいは
前記第１のノードに関連する電力クラス
のうちの少なくとも１つに少なくとも部分的に基づいて判断する、Ｃ９に記載の装置。
［Ｃ１１］  前記少なくとも１つの処理ユニットは、前記自己組織化ネットワーク部分の前記少なくとも１つの他のノードが前記１つまたは複数の測位信号のうちの前記少なくとも１つを送信するために利用可能であるか否かを、
前記少なくとも１つの他のノードと前記１つまたは複数の基地局のうちの少なくとも１つとの間の推定同期誤差、
前記少なくとも１つの他のノードの推定位置に関連する推定位置誤差、および／あるいは
前記少なくとも１つの他のノードに関連する電力クラス
のうちの少なくとも１つに少なくとも部分的に基づいて判断する、Ｃ９に記載の装置。
［Ｃ１２］  前記少なくとも１つの処理ユニットは、前記第１のノードが前記移動局へのサービング通信ノードとして機能している間に、前記移動局から前記少なくとも１つのネットワークインターフェースを介して受信した測位支援データを求める要求に応答して、前記被選択測位支援データの前記少なくとも一部分を送信することを開始する、Ｃ９に記載の装置。
［Ｃ１３］  前記少なくとも１つのネットワークインターフェースは、非ワイヤレス通信インターフェースをさらに備え、前記受信測位情報の少なくとも一部分は、非ワイヤレス通信リンクを通じて前記非ワイヤレス通信インターフェースを介して受信される、Ｃ９に記載の装置。
［Ｃ１４］  前記送信される被選択測位支援データは、前記１つまたは複数の基地局を識別する情報を備える、Ｃ９に記載の装置。
［Ｃ１５］  前記送信される被選択測位支援データは、追加測位支援データが前記移動局にとって利用可能である、前記１つまたは複数の基地局のうちの特定の１つを識別する情報を備える、Ｃ９に記載の装置。
［Ｃ１６］  前記受信測位情報は、
前記自己組織化ネットワーク部分のノードを備える前記１つまたは複数の基地局のうちの少なくとも１つに関連し、推定位置、推定位置誤差、および／または電力クラスのうちの少なくとも１つを識別する情報
を備える、Ｃ９に記載の装置。
［Ｃ１７］  ワイヤレス通信アクセスサービスを提供する通信ネットワークの自己組織化ネットワーク部分の第１のノードにおいて動作するデバイスにおいて使用する装置であって、
少なくとも信号ベースの位置推定において使用する１つまたは複数の測位信号を移動局に送信するために利用可能な前記通信ネットワークの１つまたは複数の基地局に関連する受信測位情報と、
前記第１のノードおよび／または前記自己組織化ネットワーク部分の少なくとも１つの他のノードが前記１つまたは複数の測位信号のうちの少なくとも１つを前記移動局に送信するために利用可能であるか否かについての判断と
に少なくとも部分的に基づいて、被選択測位支援データを確立するための手段と、
通信リンクを通じて前記移動局に対し、前記被選択測位支援データの少なくとも一部分を送信するための手段と
を備える装置。
［Ｃ１８］  前記第１のノードが前記１つまたは複数の測位信号のうちの前記少なくとも１つを送信するために利用可能であることを、
前記第１のノードと前記１つまたは複数の基地局のうちの少なくとも１つとの間の推定同期誤差、
前記第１のノードの推定位置に関連する推定位置誤差、および／あるいは
前記第１のノードに関連する電力クラス
のうちの少なくとも１つに少なくとも部分的に基づいて判断するための手段
をさらに備える、Ｃ１７に記載の装置。
［Ｃ１９］  前記自己組織化ネットワーク部分の前記少なくとも１つの他のノードが前記１つまたは複数の測位信号のうちの前記少なくとも１つを送信するために利用可能であることを、
前記少なくとも１つの他のノードと前記１つまたは複数の基地局のうちの少なくとも１つとの間の推定同期誤差、
前記少なくとも１つの他のノードの推定位置に関連する推定位置誤差、および／あるいは
前記少なくとも１つの他のノードに関連する電力クラス
のうちの少なくとも１つに少なくとも部分的に基づいて判断するための手段
をさらに備える、Ｃ１７に記載の装置。
［Ｃ２０］  前記移動局へのサービング通信ノードとして前記第１のノードを動作させるための手段と、
前記移動局から測位支援データを求める要求を受信するための手段と
をさらに備える、Ｃ１７に記載の装置。
［Ｃ２１］  非ワイヤレス通信リンクを通じて前記受信測位情報の少なくとも一部分を受信するための手段
をさらに備える、Ｃ１７に記載の装置。
［Ｃ２２］  ワイヤレス通信アクセスサービスを提供する通信ネットワークの自己組織化ネットワーク部分の第１のノードにおいて動作するデバイスとともに使用する物品であって、
コンピュータ実行可能命令を記憶したコンピュータ可読媒体を備え、前記コンピュータ実行可能命令は、前記デバイスの１つまたは複数の処理ユニットによって、
少なくとも信号ベースの位置推定において使用する１つまたは複数の測位信号を移動局に送信するために利用可能な前記通信ネットワークの１つまたは複数の基地局に関連する受信測位情報と、
前記第１のノードおよび／または前記自己組織化ネットワーク部分の少なくとも１つの他のノードが前記１つまたは複数の測位信号のうちの少なくとも１つを前記移動局に送信するために利用可能であるか否かについての判断と
に少なくとも部分的に基づいて、被選択測位支援データを確立し、
通信リンクを通じて前記移動局に対し、前記被選択測位支援データの少なくとも一部分を送信することを開始する
ように実行可能である、物品。
［Ｃ２３］  前記コンピュータ実施可能命令は、前記１つまたは複数の処理ユニットによって、
前記第１のノードが前記１つまたは複数の測位信号のうちの前記少なくとも１つを送信するために利用可能であるか否かを、
前記第１のノードと前記１つまたは複数の基地局のうちの少なくとも１つとの間の推定同期誤差、
前記第１のノードの推定位置に関連する推定位置誤差、および／あるいは
前記第１のノードに関連する電力クラス
のうちの少なくとも１つに少なくとも部分的に基づいて判断する
ようにさらに実行可能である、Ｃ２２に記載の物品。
［Ｃ２４］  前記コンピュータ実施可能命令は、前記１つまたは複数の処理ユニットによって、
前記自己組織化ネットワーク部分の前記少なくとも１つの他のノードが前記１つまたは複数の測位信号のうちの前記少なくとも１つを送信するために利用可能であるか否かを、
前記少なくとも１つの他のノードと前記１つまたは複数の基地局のうちの少なくとも１つとの間の推定同期誤差、
前記少なくとも１つの他のノードの推定位置に関連する推定位置誤差、および／あるいは
前記少なくとも１つの他のノードに関連する電力クラス
のうちの少なくとも１つに少なくとも部分的に基づいて判断する
ようにさらに実行可能である、Ｃ２２に記載の物品。
［Ｃ２５］  前記コンピュータ実施可能命令は、前記１つまたは複数の処理ユニットによって、
前記第１のノードが前記移動局へのサービング通信ノードとして機能している間に、前記移動局から受信した測位支援データを求める要求に応答して、前記被選択測位支援データの少なくとも一部分を送信することを開始する
ようにさらに実行可能である、Ｃ２２に記載の物品。
［Ｃ２６］  前記受信測位情報の少なくとも一部分は、非ワイヤレス通信リンクを通じて受信される、Ｃ２２に記載の物品。
［Ｃ２７］  前記送信される被選択測位支援データは、前記１つまたは複数の基地局を識別する情報を備える、Ｃ２２に記載の物品。
［Ｃ２８］  前記送信される被選択測位支援データは、追加測位支援データが前記移動局にとって利用可能である、前記１つまたは複数の基地局のうちの特定の１つを識別する情報を備える、Ｃ２２に記載の物品。
［Ｃ２９］  前記受信測位情報は、
前記自己組織化ネットワーク部分のノードを備える前記１つまたは複数の基地局のうちの少なくとも１つに関連し、推定位置、推定位置誤差、および／または電力クラスのうちの少なくとも１つを識別する情報
を備える、Ｃ２２に記載の物品。
【図３】
0005774722.tif 000002
【図１】
0005774722.tif 000003
【図２】
0005774722.tif 000004
【図４】
0005774722.tif 000005
【図５】
0005774722.tif 000006
【図６】
0005774722.tif 000007